(57)【要約】      （修正有）【課題】住宅等において、室内規制値を超す被ばく量を規制値以下もしくはゼロにし、除染作業場所等の被ばく量を規制値以下もしくはゼロにする、セシウム等放射性物除去機能付き空気清浄器を提供する。【解決手段】浮遊しているセシウム等放射性物質を含む空気を吸引ファンで吸引し、タンク２内のヒノキ水溶液もしくは微酸性電解水とフェロシアン化鉄をブレンドした水溶液６に衝突させるかもしくは水溶液をミスト状にして空気中に噴霧することで、セシウム等放射性物質、ゴミ、埃、塵、カビ、ダニ、花粉アルデヒドなど有害物質などを除去する。【選択図】図１
2013186119.tif 000002
【特許請求の範囲】
【請求項１】
抗菌性があり弱酸性のヒノキ水溶液等植物由来の水溶液もしくは希酸性原料由来微酸性電解水とアイシャドウの原料にも使用されるフェロシアン化鉄をブレンドした水溶液を使用する。なお、このフェロシアン化鉄は、セシウムを誤飲した時に飲ませる薬で人体に対して安全性も確認されている。セシウム等放射性物質を水の中で包接し、ゲル状態で沈殿する事が周知の事実であるフェロシアン化鉄をブレンドした水溶液空気清浄器タンクに入れ、空気中で浮遊しているセシウム等放射性物質を吸引ファンでタンク内のヒノキ水溶液もしくは微酸性電解水とフェロシアン化鉄をブレンドした水溶液に衝突もしくはミスト状にして噴霧することで、セシウム等放射性物質、ゴミ、埃、塵、カビ、ダニ、花粉アルデヒドなど有害物質などを除去する工程を有する。
【請求項２】
セシウム等放射性物質除去機能付き空気清浄器は吸引ファンより空気中のゴミ、埃、塵、カビ、ダニ、花粉アルデヒドなど有害物質などを吸引。抗菌性があり弱酸性のヒノキ水溶液等植物由来の水溶液もしくは希塩酸原料由来微酸性電解水とフェロシアン化鉄ブレンド水溶液に衝突もしくはミスト状にして噴霧することで空気清浄する工程を有する。
【請求項３】
放射能物質を含んだ水蒸気もしくは過熱水蒸気は冷却し、水にして放射能汚染タンクに保管後、放射能浄化装置に移行させる工程を有する。
【請求項４】
ヒノキ水溶液等植物由来の水溶液もしくは希塩酸原料由来微酸性電解水とフェロシアン化鉄ブレンド水溶液はフェロシアン化鉄が化学反応等でシアンガスが発生しない安全な中性もしくはｐＨ５程度の弱酸性水溶液を特徴とする。
【請求項５】
セシウム等放射性物質除去機能付き空気清浄器はヒノキ水溶液等植物由来の水溶液もしくは希塩酸原料由来微酸性電解水とフェロシアン化鉄ブレンド水溶液が熱分解するのを防止する特徴を有す。フェロシアン化鉄が熱によるシアンガスの発生防止機能を有する。
【請求項６】
セシウム等放射性物質除去機能付き空気清浄器素材は、放射能漏えい防止素材で作る事を有する。室内セシウム等放射性物質が低濃度の場合、化学合成樹脂素材で作る事は任意である。
【請求項７】
セシウム等放射性物質除去機能付き空気清浄器タンク部分を見える機能を有するため透明アクリル素材を使うのは任意である。
【請求項８】
ヒノキ水溶液等植物由来の水溶液もしくは希塩酸原料由来微酸性電解水とフェロシアン化鉄ブレンド水溶液がセシウム等吸着力飽和点が来た場合、ヒノキ水溶液等植物由来の水溶液もしくは希塩酸原料由来微酸性電解水とフェロシアン化鉄ブレンド水溶液交換のためタンクにドレンを付け、ドレンの先にフィルターをつけでセシウム等吸着したゲル状物質を回収する工程を有する。
【請求項９】
セシウム等吸着したゲル状物質を回収し、放射能漏えい防止保管箱に保管する工程を有する。
【請求項１０】
排出口に吸引ファンを配置し、吸引ファンによりタンク内に入った空気をスムーズに排出する工程を有する。
【請求項１１】
排出口は筒状の装置を配置し、筒状の中にゼオライトもしくはメンブレンフイルムを入れ捕集しきれなかったセシウム等放射性物質を捕集およびヒノキ水溶液等植物由来の水溶液もしくは希塩酸原料由来微酸性電解水とフェロシアン化鉄ブレンド水溶液が外に飛散防止することで周辺を汚さない工程を有する。
【請求項１２】
請求項目１請求項目１１において、吸引ファンの形状、及び排出口形状は、円形、四角等形状は任意である。
【請求項１３】
ヒノキ水溶液等植物由来の水溶液もしくは希塩酸原料由来微酸性電解水とフェロシアン化鉄ブレンド水溶液を循環ポンプ等でミストとしてセシウム等放射性物質含有空気に噴霧して除染効果を上げる工程を有する。
【発明の詳細な説明】
【技術分野】
【００１】本発明は、福島原子力発電所事故により原子炉から大量のセシウム、ストロンチウムなど放射性物質が微粒子となり広い範囲の土壌等を汚染させた。福島原子力発電所周辺は警戒区域、計画的避難区域に分類され、住民の立ち入りが禁じられている。警戒区域、計画的避難区域以外である福島市、群山市内等周辺住宅、マンション、学校等室内で室内を埃、塵等に付着し、浮遊しているセシウムが検出されている。福島県のみならず宮城、岩手、茨城、千葉、埼玉、東京、神奈川８都道府県の住宅等室内からセシウムが検出されている。住民はセシウム内部被ばくに不安をもっており、特に家族に小さな子供、妊婦の家庭の内部被ばくに対して不安は大きい。また、除染作業が進めているが、ガレキ等分別作業や放射能汚染土壌等はぎ取り作業で作業員はガレキ等から出る放射能含有粉塵を大量に浴びながら作業しているのが現状である。本発明は住宅等においては、室内規制値を超す被ばく量を規制値以下、もしくはゼロにし、除染作業場所等被ばく量を規制値以下、もしくはゼロにする、セシウム等放射性物除去機能付き空気清浄器を提供するものである。
【背景分野】
【００２】放射能汚染土壌等分別作業が行われている。
【００３】放射能汚染土壌等をはぎ取り、除去する工事は良く行われている。
【００４】高圧洗浄機、水蒸気蒸留装置などで土等の農薬、線虫、微生物、放射性物質などを除去、消毒、殺菌が行われている。
【００５】高濃度放射能汚染水にフェロシアン化鉄など放射性物質を吸着する機能をもつ物質を入れ、当該物質に放射性物質に放射性物質吸着させる事で沈殿させる。沈殿物回収後の放射能汚染水の放射能濃度は低濃度となり、再利用可能となる。本技術はフランスアレバ社、東京工業大学などが技術を確立させている。
【先行技術文献】
【特許文献１】特許出願平１０−６３６９３
【特許文献２】特願  ２００６−２９０３７６
【特許文献３】特願  ２０１１−３８９９１４
【発明の概要】
【発明が解決しようとしている課題】
【００６】福島原子力発電所事故で原子炉より大量のセシウム等の放射性物質が微粒子となり大量に拡散。福島市、群山市内等周辺住宅、マンション、学校等室内で室内を埃、塵、花粉、ダニ、カビ等に付着し、浮遊しているセシウムが検出されている。福島県のみならず宮城、岩手、茨城、千葉、埼玉、東京、神奈川８都道府県の住宅等室内からセシウムが検出されている。広範囲の土壌等を汚染。放射能汚染土壌等周辺で高濃度放射能が検出されている。
【００７】上記述べた通りセシウムなど放射性物質は放射性微粒子となって、空気中を浮遊し風に流れる、もしくはセシウム等が水蒸気に取り込まれ、上昇。雲になり、雲が流され、寒気で雲が冷やされ雨となり、雨と一緒にセシウムが落下。ホットスポットと言われる場所が出来る。本メカニズムで横浜市、葛飾区、柏市など福島原子力発電所から遠く離れている場所までセシウム等で土壌等汚染や住宅室内の埃等からセシウム等が検出される。また放射能汚染土壌等ガレキ等作業場所等、作業場所等周辺はセシウム等含有粉塵が飛散している。
【００８】空気中の放射能濃度を安全基準値以下もしくはゼロにする技術、空気清浄器など装置の確立、開発が急がれるが、現在の空気清浄器はセシウム等除去効果のある空気清浄器は存在しない。
【００９】本発明は、空気中で浮遊しているセシウム等放射性物質浄化技術の確立、空気清浄器など装置が開発・製造・販売されていない現状であり、セシウム等放射性物質を水の中で包接し、ゲル状態で沈殿する事に着目し、抗菌性があり弱酸性のヒノキ水溶液等植物由来の水溶液もしくは希塩酸原料由来微酸性電解水とアイシャドウの原料にも使用されるフェロシアン化鉄をブレンドした水溶液を使用する。なお、このフェロシアン化鉄は、セシウムを誤飲した時に飲ませる薬で人体に対して安全性も確認されている。この水溶液に空気中で浮遊しているセシウム等放射性物質を吸引ファンでタンク内のヒノキ水溶液もしくは微酸性電解水とフェロシアン化鉄をブレンドした水溶液に衝突もしくはミスト状にして噴霧することで、セシウム等放射性物質、ゴミ、埃、塵、花粉、ダニ、カビやアルデヒド等有毒物質などを水溶液内の閉じ込める事で、再び室内など大気に戻さない構造を持つ空気清浄器を提供するものである。
【０１０】病院、老人ホーム、一般家庭、事務所などでＭＲＳＡ、インフルエンザ、ゴミ、埃、塵、花粉、ダニ、カビ、有害ガスなどを除去するため、空気清浄器が使用されている。またハウス栽培内でうどん粉病、灰色かび病など、養鶏場でニューカッスル病など空中浮遊菌を除去する空気清浄器が使用されている。
【０１１】空気清浄機はプラズマ、イオン、オゾンなど乾式フイルターや湿式フイルターと各種あるが、セシウム等放射性物質除去機能のある空気清浄器は現時点存在しない。
【０１２】室内等にゴミ、埃、塵、花粉、ダニ、カビなど等に付着し浮遊しているセシウム等放射性物質をヒノキ水溶液もしくは微酸性電解水とフェロシアン化鉄をブレンドした水溶液内に閉じ込めて、清浄になった空気を空気清浄器より排出する事で、室内等大気中のセシウム等濃度を規制値以下もしくは濃度ゼロにするものである。
【０１３】フェロシアン化鉄に閉じ込めたセシウム等放射性物質は、ゲル化し沈殿させて回収。回収したセシウム等放射性物質を取り込んだゲル化物は、セシウム等放射性物質漏えい防止を施した管理箱に保管するものである。
【発明の効果】
【０１４】上記述べた通り本発明のセシウム等放射性物質除去機能付き空気清浄器は、ゴミ、埃、塵、花粉、ダニ、カビ等に付着し、浮遊しているセシウム等放射性物質を吸引ファンで吸引し、ヒノキ水溶液もしくは微酸性電解水とフェロシアン化鉄をブレンドした水溶液に衝突させ、衝撃力でその水溶液に閉じ込めるか、その水溶液をミスト状にしてゴミ、埃、塵、花粉、ダニ、カビ等に付着し、浮遊しているセシウム等放射性物質をミスト状にして閉じ込め、タンク内に入れるかは任意である。
【０１５】ヒノキ水溶液もしくは微酸性電解水とフェロシアン化鉄をブレンドした水溶液内でセシウム等放射性物質を回収後の放射能廃棄物最終処分方法も提供するものである。
【図面の簡単な説明】
【０１６】
【図１】セシウム等放射性物質除去機能付き空気清浄器本体
【図２】セシウム等放射性物質除去機能付き空気清浄器上蓋
【図３】セシウム等放射性物質除去機能付き空気清浄器タンク
【図４】ゲル状になったセシウム等放射性物質保管箱
【図５】保管箱放射能漏えい防止材断面図
【図６】大型セシウム等放射性物質除去機能付き空気清浄器本体
【発明を実施するための形態】
【０１７】以下、本発明の形態を図１〜図６に基づいて説明する。
【０１８】図１においては、セシウム等放射性物質除去機能付き空気清浄器本体に設置した装置及び構造、ヒノキ水溶液もしくは微酸性電解水とフェロシアン化鉄をブレンドした水溶液の場所を表し、蓋と本体を鍵等で、第三者は取り外せない構造を特徴とする。
【０１９】図２においては、吸引ファンで空気中のゴミ、埃、塵、花粉、ダニ、カビ等に付着し、浮遊しているセシウム等放射性物質をヒノキ水溶液もしくは微酸性電解水とフェロシアン化鉄をブレンドした水溶液に衝突、もしくはミストとしてゴミ、埃、塵、花粉、ダニ、カビ等に付着し、浮遊しているセシウム等放射性物質に噴霧してノキ水溶液もしくは微酸性電解水とフェロシアン化鉄をブレンドした水溶液内に閉じ込める事により、清浄空気を放射性物質除去機能付き空気清浄器排出ファンで室外に出すことを特徴とする。
【０２０】図３においては、タンクにドレンを設置。飽和点の来たヒノキ水溶液もしくは微酸性電解水とフェロシアン化鉄をブレンドした水溶液を交換する時、ゲル状物質と水をドレンから流し、ドレン先端にフィルターを取り付けゲル状物質はフィルターで捕集して、放射能漏えい防止保管箱に保管する事を特徴とする。
【０２１】図３においては放射能漏えい防止保管箱全体を表す。放射能漏えい防止保管箱は蓋部分と本体が外せる構造になっており、また蓋と本体を鍵等で、第三者は取り外せない構造を特徴とする。
【０２２】図４においては、放射能漏えい防止管理箱の放射能漏えい防止内装材を表す。
【０２３】図５においては保管箱の放射能漏えい防止素材断面図でバイオプラスチック、アルミ板、遮水シートの４層構造
【０２４】図５においては大型放射性物質除去機能付き空気清浄器。吸引ファンで室内等セシウム等放射性物質含有空気を装置内に入れ、ヒノキ水溶液もしくは微酸性電解水とフェロシアン化鉄をブレンドした水溶液を循環ポンプでミストとして噴霧し、清浄空気として室外に排出させる。排出口にメンブレンフイルム、ゼオライトを設置するのは任意である
【符号の説明】
【０２５】１  放射性物質除去機能付き空気清浄器蓋
２  放射性物質除去機能付き空気清浄器タンク
３  蓋、タンクを留めるカギ等
４  吸引口
５  排出口
６  ヒノキ水もしくは微酸性水とフェロシアン化鉄ブレンド水
７  吸引ファン
８  メンブレンフイルム
９  排出ファン
１０  ドレン
１１  フィルター
１２  保管箱
１３  カギ等
１４  バイオプラスチック
１５  アルミ板
１６  遮水シート
１７  ノズル
１８  循環ポンプ
【図１】
2013186119.tif 000003
【図２】
2013186119.tif 000004
【図３】
2013186119.tif 000005
【図４】
2013186119.tif 000006
【図５】
2013186119.tif 000007
【図６】
2013186119.tif 000008